(57)【要約】【課題】廃棄物の処分域の外側面を形成する壁部を覆うよう設けられる上、下遮水シートを互いに熱溶着させることにより、これらの間に所望の遮水構造を得ようとする場合に、遮水シート同士の熱溶着の作業が容易にできるようにする。【解決手段】廃棄物処分場は、廃棄物２の処分域３の外側面を形成する壁部４と、壁部４の処分域３に面した壁面８の上部がわ壁面８ａを覆うよう設けられると共に、上部が壁部４に固着される上遮水シート１０と、下部がわ壁面８ｂを覆うよう設けられる下遮水シート１３とを備える。下遮水シート１３の上縁部１１の上、下部１１ａ，１１ｂのうち、下部１１ｂを壁面８に固着する固着具１２が設けられ、下遮水シート１３の上縁部１１が固着具１２を処分域３がわから覆うと共に、下遮水シート１３の上縁部１１の上部１１ａと上遮水シート１０の下縁部２６とが互いに熱溶着Ｗ３される。【選択図】図１
2010284612.tif 000002
【特許請求の範囲】
【請求項１】
廃棄物の処分域の外側面を形成する壁部と、この壁部の上記処分域に面した壁面の上、下部がわ壁面のうち、上部がわ壁面を覆うよう設けられると共に、その上部が上記壁部に固着される上遮水シートと、上記下部がわ壁面を覆うよう設けられる下遮水シートとを備えた廃棄物処分場の遮水構造において、
上記下遮水シートの上縁部の上、下部のうち、下部を上記壁面に固着する固着具が設けられ、上記下遮水シートの上縁部が上記固着具を上記処分域がわから覆うと共に、上記下遮水シートの上縁部の上部と上記上遮水シートの下縁部とが互いに熱溶着されたことを特徴とする廃棄物処分場の遮水構造。
【請求項２】
上記固着具が、上記下遮水シートの上縁部よりも上記壁面がわに配置されて上下方向に延び、その下部が上記下遮水シートの上縁部の下部に固着される固着シートと、この固着シートの上部を上記壁面がわに締結させる締結具とを備えたことを特徴とする請求項１に記載の廃棄物処分場の遮水構造。
【請求項３】
上記固着具が、上記固着シートを上記壁面に係止させる係止具を備えたことを特徴とする請求項２に記載の廃棄物処分場の遮水構造。
【請求項４】
請求項１に記載の廃棄物処分場の遮水構造の組み立て方法であって、
まず、上記上遮水シートが上部がわ壁面を覆うよう上記上遮水シートの上部を上記壁部に固着させると共に、下遮水シートが下部がわ壁面を覆うよう上記下遮水シートの上縁部の下部を上記固着具により壁面に固着させ、
次に、上記下遮水シートの上縁部が上記固着具を上記処分域がわ覆った状態で、上記下遮水シートの上縁部の上部を上記上遮水シートの下縁部に熱溶着させることを特徴とする廃棄物処分場の遮水構造の組み立て方法。
【発明の詳細な説明】
【技術分野】
【０００１】
本発明は、廃棄物の処分域の外側面を形成する壁部と、上下方向に並設され、この壁部の上記処分域に面した壁面を覆うよう設けられる上、下遮水シートとを備えた廃棄物処分場の遮水構造、およびその組み立て方法に関するものである。
【背景技術】
【０００２】
上記廃棄物処分場の遮水構造には、従来、下記特許文献１における「発明の詳細な説明」の段落番号「００２９」「００３０」、および添付図面の「図１０」に示されるものがある。これによれば、廃棄物処分場の遮水構造は、廃棄物の処分域の外側面を形成する壁部と、この壁部の上記処分域に面した壁面の上、下部がわ壁面のうち、上部がわ壁面を覆うよう設けられると共に、その上部が上記壁部に固着される上遮水シートと、上記下部がわ壁面を覆うよう設けられると共に、その上縁部が上記壁部に固着具により固着される下遮水シートとを備えている。
【０００３】
また、特に、上記「００３０」に記載されているように、下遮水シートの上縁部と固着具とは上記上遮水シートの下縁部によって覆われることとされ、これにより、上記壁面と上記下遮水シートの上縁部との間を遮水するシーリング材は不要とされている。
【０００４】
また、上記「図１０」に示唆されているように、上記上遮水シートの下縁部と下遮水シートの上縁部とが互いに熱溶着されており、これにより、これら上、下遮水シートの間が遮水されている。
【０００５】
そして、上記したように壁部と、各遮水シートとで遮水された処分域に廃棄物が次々と投入されることにより、この廃棄物の処分がなされるようになっている。
【先行技術文献】
【特許文献】
【０００６】
【特許文献１】特開２００５−４０７２９号公報
【発明の概要】
【発明が解決しようとする課題】
【０００７】
ところで、上記したように下遮水シートは、その上縁部が上記壁部に固着されることにより、この壁部に支持されている。このため、上記下遮水シートの上縁部にはこの下遮水シートの自重が負荷されて大きい内部応力が生じている。ここで、前記したように、上、下遮水シートの間の遮水のために、上記上遮水シートの下縁部と下遮水シートの上縁部とを互いに熱溶着させようとすると、その熱により熱溶着部が軟化して強度が低下しがちとなる。このため、このように強度が低下した熱溶着部は上記負荷により下方に向けて可塑的に容易に伸長したり、破断したりするおそれが生じ、よって、上記従来の技術では、上、下遮水シートの間に所望の遮水構造を得ることは困難になるおそれがある。
【０００８】
そこで、上記熱溶着の作業時には、昇降台などを用いることにより、上記下遮水シートを、一旦、全体的に持ち上げて、この下遮水シートの上縁部にその自重が負荷されないようにしてやることが考えられる。しかし、これでは、上記熱溶着の作業が極めて煩雑になると考えられる。
【課題を解決するための手段】
【０００９】
本発明は、上記のような事情に注目してなされたもので、本発明の目的は、廃棄物の処分域の外側面を形成する壁部と、上下方向に並設され、この壁部の上記処分域に面した壁面を覆うよう設けられる上、下遮水シートとを備えた廃棄物処分場の遮水構造において、上記上、下遮水シートを互いに熱溶着させることにより、これらの間に所望の遮水構造を得ようとする場合に、これら遮水シート同士の熱溶着の作業が容易にできるようにすることである。
【００１０】
請求項１の発明は、廃棄物２の処分域３の外側面を形成する壁部４と、この壁部４の上記処分域３に面した壁面８の上、下部がわ壁面８ａ，８ｂのうち、上部がわ壁面８ａを覆うよう設けられると共に、その上部が上記壁部４に固着される上遮水シート１０と、上記下部がわ壁面８ｂを覆うよう設けられる下遮水シート１３とを備えた廃棄物処分場の遮水構造において、
上記下遮水シート１３の上縁部１１の上、下部１１ａ，１１ｂのうち、下部１１ｂを上記壁面８に固着する固着具１２が設けられ、上記下遮水シート１３の上縁部１１が上記固着具１２を上記処分域３がわから覆うと共に、上記下遮水シート１３の上縁部１１の上部１１ａと上記上遮水シート１０の下縁部２６とが互いに熱溶着Ｗ３されたことを特徴とする廃棄物処分場の遮水構造である。
【００１１】
請求項２の発明は、上記固着具１２が、上記下遮水シート１３の上縁部１１よりも上記壁面８がわに配置されて上下方向に延び、その下部が上記下遮水シート１３の上縁部１１の下部１１ｂに固着される固着シート２２と、この固着シート２２の上部を上記壁面８がわに締結させる締結具２３とを備えたことを特徴とする請求項１に記載の廃棄物処分場の遮水構造である。
【００１２】
請求項３の発明は、上記固着具１２が、上記固着シート２２を上記壁面８に係止させる係止具３０を備えたことを特徴とする請求項２に記載の廃棄物処分場の遮水構造である。
【００１３】
請求項４の発明は、請求項１に記載の廃棄物処分場の遮水構造の組み立て方法であって、
まず、上記上遮水シート１０が上部がわ壁面８ａを覆うよう上記上遮水シート１０の上部を上記壁部４に固着させると共に、下遮水シート１３が下部がわ壁面８ｂを覆うよう上記下遮水シート１３の上縁部１１の下部１１ｂを上記固着具１２により壁面８に固着させ、
次に、上記下遮水シート１３の上縁部１１が上記固着具１２を上記処分域３がわ覆った状態で、上記下遮水シート１３の上縁部１１の上部１１ａを上記上遮水シート１０の下縁部２６に熱溶着Ｗさせることを特徴とする廃棄物処分場の遮水構造の組み立て方法である。
【００１４】
なお、この項において、上記各用語に付記した符号や図面番号は、本発明の技術的範囲を後述の「実施例」の項や図面の内容に限定解釈するものではない。
【発明の効果】
【００１５】
本発明による効果は、次の如くである。
【００１６】
請求項１の発明は、廃棄物の処分域の外側面を形成する壁部と、この壁部の上記処分域に面した壁面の上、下部がわ壁面のうち、上部がわ壁面を覆うよう設けられると共に、その上部が上記壁部に固着される上遮水シートと、上記下部がわ壁面を覆うよう設けられる下遮水シートとを備えた廃棄物処分場の遮水構造において、
上記下遮水シートの上縁部の上、下部のうち、下部を上記壁面に固着する固着具が設けられ、上記下遮水シートの上縁部が上記固着具を上記処分域がわから覆うと共に、上記下遮水シートの上縁部の上部と上記上遮水シートの下縁部とが互いに熱溶着されている。
【００１７】
このため、上記廃棄物処分場の遮水構造の組み立て時に、上記下遮水シートの上縁部の下部を固着具により壁面に固着させると、上記下遮水シートの自重は、この下遮水シートの上縁部の下部と固着具とを介し上記壁部に支持されることから、上記下遮水シートの上縁部の上部は、内部応力がほとんど存在しない自由状態とされる。
【００１８】
次に、上記下遮水シートの上縁部の上部と上遮水シートの下縁部とを互いに熱溶着させる。この際、その溶着部は軟化して強度が低下しがちとなる。しかし、上記したように下遮水シートの上縁部の上部には自重による内部応力は存在せず、また、上記上遮水シートの下縁部にもその自重による内部応力は存在しない。
【００１９】
よって、第１に、上記下遮水シートの上縁部の上部と上遮水シートの下縁部とを熱溶着させることにより、これらの間に所望の遮水構造を得ようとする場合に、上記内部応力を小さくするために上記下遮水シートを、一旦、全体的に持ち上げる、というような煩雑な作業は不要であって、上記上、下遮水シート同士の熱溶着の作業は、上記内部応力の影響を受けることなく容易にできることとなる。
【００２０】
また、第２に、上記熱溶着の際、上記下遮水シートの上縁部の上部に多少の弛みを与えることが容易にできる。そして、この弛みを与えておけば、上記上遮水シートが冬期の温度などで多少収縮したとしても、この収縮は上記弛みにより吸収される。このため、上記上遮水シートに無用な応力が生じることが防止され、これは廃棄物処分場の遮水構造の寿命上有益である。
【００２１】
請求項２の発明は、上記固着具が、上記下遮水シートの上縁部よりも上記壁面がわに配置されて上下方向に延び、その下部が上記下遮水シートの上縁部の下部に固着される固着シートと、この固着シートの上部を上記壁面がわに締結させる締結具とを備えている。
【００２２】
このため、上記固着具の構成が簡単となって、この固着具の形成が容易にできる分、上記熱溶着の作業がより容易にできる。
【００２３】
請求項３の発明は、上記固着具が、上記固着シートを上記壁面に係止させる係止具を備えている。
【００２４】
このため、上記した上、下遮水シート同士の熱溶着の作業において、上記下遮水シートの上縁部の下部を上記壁面に固着具により固着させる際、これに先立って、上記係止具により、固着シートを上記壁面に一旦係止させれば、上記壁面に上記下遮水シートを仮支持させることができる。よって、その後、上記下遮水シートの上縁部の下部を上記壁面に固着具により固着させる作業は、上記下遮水シートの自重に影響されることなく容易にでき、その分、上記熱溶着の作業が更に容易にできる。
【００２５】
請求項４の発明は、請求項１に記載の廃棄物処分場の遮水構造の組み立て方法であって、これによれば、請求項１と同様の効果が生じる。
【図面の簡単な説明】
【００２６】
【図１】実施例１を示し、図２の部分拡大断面図である。
【図２】実施例１を示し、廃棄物処分場の遮水構造の側面断面図である。
【図３】実施例２を示し、図１に相当する図である。
【図４】実施例３を示し、図１に相当する図である。
【発明を実施するための形態】
【００２７】
本発明の廃棄物処分場の遮水構造に関し、廃棄物の処分域の外側面を形成する壁部と、上下方向に並設され、この壁部の上記処分域に面した壁面を覆うよう設けられる上、下遮水シートとを備えた廃棄物処分場の遮水構造において、上記上、下遮水シートを互いに熱溶着させることにより、これらの間に所望の遮水構造を得ようとする場合に、これら遮水シート同士の熱溶着の作業が容易にできるようにする、という目的を実現するため、本発明を実施するための形態は、次の如くである。
【００２８】
即ち、廃棄物処分場の遮水構造は、廃棄物の処分域の外側面を形成する壁部と、この壁部の上記処分域に面した壁面の上、下部がわ壁面のうち、上部がわ壁面を覆うよう設けられると共に、その上部が上記壁部に固着される上遮水シートと、上記下部がわ壁面を覆うよう設けられる下遮水シートとを備える。
【００２９】
上記下遮水シートの上縁部の上、下部のうち、下部を上記壁面に固着する固着具が設けられ、上記下遮水シートの上縁部が上記固着具を上記処分域がわから覆うと共に上記下遮水シートの上縁部の上部と上記上遮水シートの下縁部とが互いに熱溶着されている。
【実施例１】
【００３０】
本発明をより詳細に説明するために、その実施例１を添付の図１，２に従って説明する。
【００３１】
図１，２において、符号１は、廃棄物２を投入することにより埋め立てて、この廃棄物２を最終処分するための廃棄物処分場である。
【００３２】
上記廃棄物処分場１は、上記廃棄物２を投入させて処分するための処分域３の外側面を形成する壁部４と、底面を形成する底部５とを備えており、これら壁部４と底部５とはコンクリート製とされている。
【００３３】
上記壁部４の上記処分域３に面した壁面８はほぼ垂直に延び、その高さは例えば１４ｍなど１０ｍ以上とされて、上記処分域３は大深度構造とされている。
【００３４】
また、上記廃棄物処分場１は、上記壁面８の上、下部がわ壁面８ａ，８ｂのうち、上部がわ壁面８ａを覆うように設けられると共に、その上部（上縁部を含む）が上記壁部４の上面に第１固着具９により固着される上遮水シート１０と、上記下部がわ壁面８ｂを覆うよう設けられると共に、その上縁部１１が上記壁面８に第２固着具１２により固着される下遮水シート１３と、上記下部がわ壁面８ｂの下がわに隣接する他の下部がわ壁面８ｃを覆うよう設けられると共に、その上縁部１４が上記壁面８に第３固着具１５により固着される他の下遮水シート１６と、上記壁面８の最下部と上記底部５の上面とを連続的に覆うと共に、その上縁部が上記他の下遮水シート１６の下縁部に熱溶着Ｗ０される更に他の下遮水シート１７とを備えている。
【００３５】
上記各遮水シート１０，１３，１６，１７は、それぞれ熱可塑性の高密度ポリエチレン（ＨＤＰＥ）、もしくは塩化ビニール（ＰＶＣ）、その他、ＥＰＤＭ、ＴＰＯ、ＴＰＵ、ＦＰＡ、アスファルトシートなどの樹脂製で、例えば、幅寸法は１５ｍ、高さ寸法は７ｍ、厚さは１．５ｍｍ以上である。
【００３６】
上記第１固着具９は、上記壁面８の上面に埋設されて固定された樹脂製の第１アンカー２０を備えている。この第１アンカー２０に上記上遮水シート１０の上縁部が熱溶着Ｗ１により固着されている。
【００３７】
また、上記第２固着具１２は上記上部がわ壁面８ａの上端部に埋設されて固定された樹脂製の第２アンカー２１と、上記下遮水シート１３の上縁部１１よりも上記壁面８がわに配置されて上下方向に延び、その下部が上記下遮水シート１３の上縁部１１の上、下部１１ａ，１１ｂのうち、下部１１ｂに熱溶着Ｗ２により固着される固着シート２２と、この固着シート２２の上部を上記下部がわ壁面８ｂの上端部に埋設された上記第２アンカー２１に締結させる締結具２３とを備えている。
【００３８】
上記下遮水シート１３の上縁部１１は上記第２固着具１２の少なくとも一部を上記処分域３がわから覆っている。また、上記下遮水シート１３の上縁部１１の上部１１ａと上記上遮水シート１０の下縁部２６とが互いに熱溶着Ｗ３されている。
【００３９】
上記熱溶着Ｗ０〜Ｗ３は、それぞれ熱風や高周波などを用い、自動もしくは手動によって達成される。
【００４０】
前記第３固着具１５は、上記第２固着具１２と同様の構成とされ、前記他の下遮水シート１６は、上記下遮水シート１３と同様の構成とされる。また、上記各シート１０，１３，１６，１７や固着具９，１２，１５は、図示しないが上記壁面８に沿って水平方向に多数並設される。
【００４１】
次に、上記した廃棄物処分場１の遮水構造の組み立て方法につき説明する。
【００４２】
まず、上記上遮水シート１０が上部がわ壁面８ａを覆うよう上記上遮水シート１０の上部を上記第１固着具９により上記壁部４に固着させる。この固着は、この壁部４の上面に予め埋設した第１アンカー２０に上記上遮水シート１０の上部を熱溶着Ｗ１させることにより達成される。
【００４３】
一方、上記下遮水シート１３が下部がわ壁面８ｂを覆うよう上記下遮水シート１３の上縁部１１の下部１１ｂを上記第２固着具１２により壁面８に固着させる。この固着をする場合には、予め、上記下遮水シート１３の上縁部１１の下部１１ｂと固着シート２２の下部とを熱溶着Ｗ２させておく。そして、上記下遮水シート１３と固着シート２２とを、一体的に上記壁面８の外側方の位置（図１中一点鎖線）から上記壁面８に向けて移動Ａさせる。次に、上記固着シート２２を上記締結具２３により上記第２アンカー２１に締結する。
【００４４】
上記の場合、上遮水シート１０の下縁部２６や上縁部１１の上部１１ａが邪魔になる場合には、上記上遮水シート１０の下縁部２６を上方に向けて屈曲させ（図１中一点鎖線）、かつ、上記上縁部１１の上部１１を下方に向けて屈曲させ（図１中一点鎖線、二点鎖線）てもよい。
【００４５】
そして、上記したように下遮水シート１３の上縁部１１の下部１１ｂを第２固着具１２により壁面８に固着させる。すると、上記下遮水シート１３の自重は、この下遮水シート１３の上縁部１１の下部１１ｂと第２固着具１２とを介し上記壁部４に支持される。このため、上記下遮水シート１３の上縁部１１の上部１１ａは、内部応力がほとんど存在しない自由状態とされる。
【００４６】
次に、上記下遮水シート１３の上縁部１１の上部１１ａと上遮水シート１０の下縁部２６とをそれぞれ互いに接近するよう移動Ｂ，Ｃさせることにより、互いに重ね合わせて熱溶着Ｗ３させる。この際、その溶着部は軟化して強度が低下しがちとなる。しかし、上記したように下遮水シート１３の上縁部１１の上部１１ａには自重による内部応力は存在せず、また、上記上遮水シート１０の下縁部２６にもその自重による内部応力は存在しない。
【００４７】
よって、第１に、上記下遮水シート１３の上縁部１１の上部１１ａと上遮水シート１０の下縁部２６とを熱溶着Ｗ３させることにより、これら１１ａ，２６の間に所望の遮水構造を得ようとする場合に、上記内部応力を小さくするために上記下遮水シート１３を、一旦、全体的に持ち上げる、というような煩雑な作業は不要であって、上記上、下遮水シート１０，１３同士の熱溶着Ｗ３の作業は、上記内部応力の影響を受けることなく容易にできる。
【００４８】
また、第２に、上記熱溶着Ｗ３の際、上記下遮水シート１３の上縁部１１の上部１１ａに多少の弛みを与えることが容易にできる。そして、この弛みを与えておけば、上記上遮水シート１０が冬期の温度などで多少収縮したとしても、この収縮は上記弛みにより吸収される。このため、上記上遮水シート１０に無用な応力が生じることが防止され、これは廃棄物処分場の遮水構造の寿命上有益である。
【００４９】
また、前記したように、第２固着具１２が、下遮水シート１３の上縁部１１よりも壁面８がわに配置されて上下方向に延び、その下部が上記下遮水シート１３の上縁部１１の下部１１ｂに固着される固着シート２２と、この固着シート２２の上部を上記壁面８がわに締結させる締結具２３とを備えている。
【００５０】
このため、上記第２固着具１２の構成が簡単となって、この第２固着具１２の形成が容易にできる分、上記熱溶着Ｗ３の作業がより容易にできる。
【００５１】
なお、以上は図示の例によるが、上記実施例１の上遮水シート１０を下遮水シート１３に適用し、かつ、上記実施例１の下遮水シート１３を他の下遮水シート１６に適用してもよい。また、上記下遮水シート１３が、この下遮水シート１３の上縁部１１を構成する遮水シート上縁部と、上記下遮水シート１３の上縁部１１以外を構成する遮水シート本体とを個別に備えることとして、これらを互いに熱溶着させ、上記下遮水シート１３の上縁部１１を上記第２固着具１２の固着シート２２としてもよい。
【００５２】
また、上記下遮水シート１３の上縁部１１の上部１１ａと上遮水シート１０の下縁部２６との重ね合わせは、図１のものとは逆にしてもよい。また、下遮水シート１３の上縁部１１の下部１１ｂに対する固着シート２２の下部の固着は接着剤によってもよい。また、この固着シート２２はバンド形状のものであってもよい。
【００５３】
以下の図３，４は、実施例２，３を示している。これら各実施例は、前記実施例１と構成、作用効果において多くの点で共通している。そこで、これら共通するものについては、図面に共通の符号を付してその重複した説明を省略し、異なる点につき主に説明する。また、これら各実施例における各部分の構成を、本発明の目的、作用効果に照らして種々組み合せてもよい。
【実施例２】
【００５４】
本発明をより詳細に説明するために、その実施例２を添付の図３に従って説明する。
【００５５】
図３において、上記第２固着具１２は、上記壁面８に取り付けられて上記固着シート２２の上部を係止させる係止具３０を備えている。
【００５６】
上記係止具３０は、上記第２アンカー２１に形成され、処分域３がわに向かって水平方向に開口する蟻溝形状の係止部３１と、上記固着シート２２の上端部に形成され、上記係止部３１の外方（図３中二点鎖線）からこの係止部３１に向かって斜め上方への移動Ｄとその後の下方回動Ｅとにより係止可能とされる被係止部３２とを備えている。
【００５７】
上記構成によれば、上、下遮水シート１０，１３同士の熱溶着の作業において、上記下遮水シート１３の上縁部１１の下部１１ｂを上記壁面８に第２固着具１２により固着させる際、これに先立って、上記係止具３０により、固着シート２２を上記壁面８に一旦係止させれば、上記壁面８に上記下遮水シート１３を仮支持させることができる。よって、その後、上記下遮水シート１３の上縁部１１の下部１１ｂを上記壁面８に第２固着具１２により固着させる作業は、上記下遮水シート１３の自重に影響されることなく容易にでき、その分、上記熱溶着の作業が更に容易にできる。
【実施例３】
【００５８】
本発明をより詳細に説明するために、その実施例３を添付の図４に従って説明する。
【００５９】
図４において、この実施例３における係止具３０は、前記実施例２のものとほぼ同様であるが、上記係止部３１への被係止部３２の係止は、この被係止部３２の上記係止部３１側への平行移動Ａと、その後の下方移動とにより達成される。
【００６０】
また、上記第２固着具１２の締結具２３は、上記第２アンカー２１に上記被係止部３２を締結するものとされている。
【符号の説明】
【００６１】
１    廃棄物処分場
２    廃棄物
３    処分域
４    壁部
５    底部
８    壁面
８ａ  上部がわ壁面
８ｂ  下部がわ壁面
８ｃ  下部がわ壁面
１０  上遮水シート
１１  上縁部
１１ａ  上部
１１ｂ  下部
１２  第２固着具（固着具）
１３  下遮水シート
２０  第１アンカー
２１  第２アンカー
２２  固着シート
２３  締結具
２６  下縁部
３０  係止具
３１  係止部
３２  被係止部
Ａ    移動
Ｂ    移動
Ｃ    移動
Ｄ    移動
Ｅ    回動
Ｗ    熱溶着
【図１】
2010284612.tif 000003
【図２】
2010284612.tif 000004
【図３】
2010284612.tif 000005
【図４】
2010284612.tif 000006